(57)【要約】【課題】登山者の登山実績を確認することができる登頂証明装置を提供する。【解決手段】登録された登山者が携帯する位置情報端末装置２０が送信した位置情報に基づいて前記登山者の登頂を証明する登頂証明装置１０であって、位置情報の示す位置が山頂であるか否かを判定することが可能な山情報を記憶する山情報記憶手段１０ｄと、位置情報端末装置２０が送信した位置情報を、当該位置情報端末装置２０を携帯する登山者の現在位置を示す位置情報として取り込む位置情報取込手段１０ａ１と、取り込んだ位置情報と山情報記憶手段１０ｄの山情報とを比較し、該比較結果に基づいて登山者が登頂しているか否かを判定する判定手段１０ａ２と、判定手段１０ａ２の登頂しているとの判定に応じて、登頂を証明する登頂証明情報を生成する登頂証明情報生成手段１０ａ３と、生成した登頂証明情報を前記登山者に参照させる参照手段１０ａ４と、を備える。【選択図】      図１
2004265030.tif 000002
【特許請求の範囲】
【請求項１】
現在位置を示す位置情報を検出して送信する位置情報端末装置を登録された登山者が携帯し、当該位置情報端末装置が送信した前記位置情報に基づいて前記登山者の登頂を証明する登頂証明装置であって、
前記位置情報の示す位置が山頂であるか否かを判定することが可能な山情報を記憶する山情報記憶手段と、
前記位置情報端末装置が送信した前記位置情報を、当該位置情報端末装置を携帯する前記登山者の現在位置を示す前記位置情報として取り込む位置情報取込手段と、
前記位置情報取込手段が取り込んだ位置情報と前記山情報記憶手段が記憶している山情報とを比較し、該比較結果に基づいて前記登山者が登頂しているか否かを判定する判定手段と、
前記判定手段の登頂しているとの判定に応じて、前記登頂を証明する登頂証明情報を生成する登頂証明情報生成手段と、
前記登頂証明情報生成手段が生成した登頂証明情報を前記登山者に参照させる参照手段と、
を備えることを特徴とする登頂証明装置。
【請求項２】
前記山情報記憶手段が記憶している山情報は、前記位置情報が示す位置における高度の識別が可能な構成となっており、
前記位置情報取込手段が取り込んだ位置情報と前記山情報記憶手段が記憶している山情報とに基づいて、前記登山者が今回登った高度を検出する高度検出手段をさらに備え、
前記登頂証明情報生成手段は、前記高度検出手段が検出した高度が識別できるように前記登頂証明情報を生成する
ことを特徴とする請求項１に記載の登頂証明装置。
【請求項３】
前記高度検出手段が検出した高度に基づいて前記登山者が過去に登った積算高度を算出する積算高度算出手段をさらに備え、
前記登頂証明情報生成手段は、前記積算高度算出手段が算出した積算高度に基づいて前記登山者の登山実績が識別できるように前記登頂証明情報を生成する
ことを特徴とする請求項２に記載の登頂証明装置。
【請求項４】
前記参照手段は、前記登頂証明情報生成手段が登頂証明情報を生成したことを前記位置情報端末装置によって前記登山者に通知させる通知手段と、前記登頂証明情報の参照を要求する参照要求を前記通知に応じて送信した前記位置情報端末装置に対し、当該位置情報端末装置を携帯する前記登山者の前記登頂証明情報を送信するために出力する登頂証明情報出力手段と、を備える
ことを特徴とする請求項１〜３の何れかに記載の登頂証明装置。
【請求項５】
前記参照手段は、前記登頂証明情報の参照を要求する参照要求を前記登山者から受けると、該参照要求にて指定された送信先に前記登頂証明情報生成手段が生成した登頂証明情報を送信するために出力する登頂証明情報出力手段を備える
ことを特徴とする請求項１〜３の何れかに記載の登頂証明装置。
【請求項６】
前記参照手段は、前記登頂証明情報生成手段が生成した登頂証明情報を、前記取り込んだ位置情報を送信した前記位置情報端末装置に送信するために出力する登頂証明情報出力手段を備える
ことを特徴とする請求項１〜３の何れかに記載の登頂証明装置。
【請求項７】
位置情報検出手段が検出した装置本体の現在位置を示す位置情報を送信手段によって所望の送信先に送信する位置情報端末装置において、
前記位置情報検出手段が検出した位置情報を登山者の登頂を証明する登頂証明情報を生成する登頂証明装置に送信するように前記送信手段を制御する送信制御手段と、
前記送信手段が前記位置情報を送信した前記登頂証明装置が生成した前記登頂証明情報を取り込む登頂証明情報取込手段と、
前記登頂証明情報取込手段が取り込んだ登頂証明情報を表示させる制御を行う表示制御手段と、
を備えることを特徴とする位置情報端末装置。
【請求項８】
前記登頂証明装置が生成した前記登頂証明情報の参照を要求する参照要求を生成する参照要求生成手段をさらに備え、
前記送信制御手段は、前記参照要求生成手段が生成した参照要求を前記登頂証明装置に送信するように前記制御を行う
ことを特徴とする請求項７に記載の位置情報端末装置。
【請求項９】
請求項４に記載の登頂証明装置と、請求項８に記載の位置情報端末装置と、を備え、前記位置情報端末装置を携帯した登山者の登頂を証明する登頂証明システムであって、
前記位置情報端末装置の参照要求生成手段は、前記登頂証明装置の前記通知手段による通知に応じて前記参照要求を生成し、
前記登頂証明装置の登頂証明情報出力手段は、前記位置情報端末装置の送信手段が送信した参照要求を受けて前記出力を行い、
前記位置情報端末装置の登頂証明情報取込手段は、前記登頂証明装置の前記登頂証明情報出力手段が出力した登頂証明情報を取り込む
ことを特徴とする登頂証明システム。
【請求項１０】
請求項５に記載の登頂証明装置と、請求項８に記載の位置情報端末装置と、を備え、前記位置情報端末装置を携帯した登山者の登頂を証明する登頂証明システムであって、
前記登頂証明装置の登頂証明情報出力手段は、前記位置情報端末装置の送信手段が送信した参照要求を受けて前記出力を行い、
前記位置情報端末装置の登頂証明情報取込手段は、前記登頂証明装置の前記登頂証明情報出力手段が出力した登頂証明情報を取り込む
ことを特徴とする登頂証明システム。
【請求項１１】
請求項６に記載の登頂証明装置と、請求項７に記載の位置情報端末装置と、を備え、前記位置情報端末装置を携帯した登山者の登頂を証明する登頂証明システムであって、
前記位置情報端末装置の登頂証明情報取込手段は、前記登頂証明装置の前記登頂証明情報出力手段が出力した登頂証明情報を取り込む
ことを特徴とする登頂証明システム。
【発明の詳細な説明】
【０００１】
【発明の属する技術分野】
本発明は、登頂証明装置、位置情報端末装置、並びに、登頂証明システムに関し、より詳細には、現在位置を示す位置情報を検出して送信する位置情報端末装置を登録された登山者が携帯し、当該位置情報端末装置が送信した前記位置情報に基づいて前記登山者の登頂を証明する登頂証明装置、及び、位置情報検出手段が検出した装置本体の現在位置を示す位置情報を送信手段によって所望の送信先に送信する位置情報端末装置、及び、前記登頂証明装置と前記位置情報端末装置とを備える登頂証明システムに関するものである。
【０００２】
【従来の技術】
登山においては、積雪や悪天候などによる遭難事故が毎年のように発生している。そして、一旦遭難事故が発生すると、無線などを通じて警察に連絡が入り、救助が必要と判断された場合は、遭難者の登山計画に基づいて救助隊による捜索活動が開始される。この捜索活動では、ヘリコプターによる捜索も行われるが、燃料の関係でその活動にも限界があり、如何に遭難者の場所を特定するかが早期発見に繋がる。
【０００３】
また、従来より登山者に対し、登山の目的地までの所要時間を予測し、表示する登山用ナビゲーション装置が提案されている。この登山用ナビゲーション装置は、ＧＰＳ信号を受信し、当該受信位置の位置情報を受信時刻を付加して算出する位置情報解析部、地図の地名と地理的な位置情報と等高線データと付随情報を格納する地形情報格納部、入力された登山予定ルートを格納する経路情報格納部、タイマ、位置情報解析部からの位置情報を受け、地形情報格納部から供給される当該位置に基づく地形の斜度と、当該斜度位置の通過所要時間をタイマで計測した通過速度との相関を算出し、未通過な斜度の通過時間を付随情報に基づいて予測する斜度と速度の相関作成部、相関作成部による斜度速度の相関を用い予定経路の通過所要時間を予測する所要時間計算部を有して構成している。そして、当日の登山ペースに沿った到達時刻の予測が簡単にでき、安全で楽しい登山を支援している（特許文献１参照）。
【０００４】
また、他に提案されている従来の情報通知システムの場合、登山者は、先ず事前に専用端末に対して、登山する予定の日時と、予定のコース等を登録する。そして、登録情報を受け取った登録者行動管理システムは、登録者の情報を元に各登録者毎にその状況に合わせて天候の変化や、日没時間等の情報を登録者行動管理システムから基地局、移動通信交換局を経由して登山者の携帯端末に通知していた。このように登山者から登録された情報を元にその状況に合わせた気象等の情報を提供するので、登山者の身の危険を回避させることができ、また登録内容の変更を行えるので、効率的なスケジュールの変更を可能としている（特許文献２）。
【０００５】
【特許文献１】
特開平１１−２７１０８６号公報  （第３頁、第１図）
【特許文献２】
特開２００１−１６０１９３号公報  （第３−４頁、第１図）
【０００６】
【発明が解決しようとする課題】
複数人でパーティを組んで登山を行う場合、登山者のそれまでの登山実績に基づいた実力を考慮して、登山計画を立てているが、全ての登山者の実力を的確に把握することは困難であり、登山者自身の話に基づいて判断するしかなかった。しかしながら、登山者の実力を誤って把握して登山計画が立てられてしまうと事故に繋がるため、遭難事故等を防止するためにも、登山者の実力を如何に的確に把握するかが重要であった。特に、近年のアウトドアブーム、中高年の登山ブームによる登山者の登山人口が増加しており、にわか登山者の登山経験を如何に的確に把握させるかが重要な問題であった。
【０００７】
よって本発明は、上述した問題点に鑑み、登山者の登山実績を容易に確認することができる登頂証明装置、位置情報端末装置、並びに、登頂証明システムを提供することを課題としている。
【０００８】
【課題を解決するための手段】
上記課題を解決するため本発明によりなされた請求項１記載の登頂証明装置は、図１〜３何れかの基本構成図に示すように、現在位置を示す位置情報を検出して送信する位置情報端末装置２０を登録された登山者が携帯し、当該位置情報端末装置２０が送信した前記位置情報に基づいて前記登山者の登頂を証明する登頂証明装置１０であって、前記位置情報の示す位置が山頂であるか否かを判定することが可能な山情報を記憶する山情報記憶手段１０ｄと、前記位置情報端末装置２０が送信した前記位置情報を、当該位置情報端末装置を携帯する前記登山者の現在位置を示す前記位置情報として取り込む位置情報取込手段１０ａ１と、前記位置情報取込手段１０ａ１が取り込んだ位置情報と前記山情報記憶手段１０ｄが記憶している山情報とを比較し、該比較結果に基づいて前記登山者が登頂しているか否かを判定する判定手段１０ａ２と、前記判定手段１０ａ２の登頂しているとの判定に応じて、前記登頂を証明する登頂証明情報を生成する登頂証明情報生成手段１０ａ３と、前記登頂証明情報生成手段１０ａ３が生成した登頂証明情報を前記登山者に参照させる参照手段１０ａ４と、を備えることを特徴とする。
【０００９】
上記請求項１に記載した本発明の登頂証明装置によれば、位置情報端末装置２０が送信した位置情報が、登山者の現在位置を示す位置情報として位置情報取込手段１０ａ１によって取り込まれると、この位置情報と山情報記憶手段１０ｄが記憶している山情報との比較結果に基づいて、登山者が登頂しているか否かが判定手段１０ａ２によって判定される。そして、登頂しているとの判定に応じて登頂証明情報が登頂証明情報生成手段１０ａ３によって生成されると、この登頂証明情報は参照手段１０ａ４によって登山者に参照させられる。よって、登山者が登頂したとき際に携帯している位置情報端末装置２０から位置情報を取り込み、この位置情報に基づいて登山者が登頂していると判定したときに登頂証明情報を生成し、その登頂証明情報を参照させることから、登山者が登山する際に位置情報端末装置２０を携帯することで、登山者は第三者が証明する登頂証明情報を容易に参照することができる。従って、登頂証明情報を参照することで、登山者の登山実績を容易に把握することができるため、登山実績に基づいた安全な登山計画の立案に貢献することが可能となり、無理な登山を防止することができるため、遭難事故の防止に貢献することができる。さらに、登頂証明情報を得るために登山する際に位置情報端末装置２０を携帯するようになれば、その位置情報端末装置２０を遭難した際の救助活動に用いることができる。
【００１０】
上記課題を解決するためになされた請求項２記載の発明は、図１〜３何れかの基本構成図に示すように、請求項１に記載の登頂証明装置において、前記山情報記憶手段１０ｄが記憶している山情報は、前記位置情報が示す位置における高度の識別が可能な構成となっており、前記位置情報取込手段１０ａ１が取り込んだ位置情報と前記山情報記憶手段１０ｄが記憶している山情報とに基づいて、前記登山者が今回登った高度を検出する高度検出手段１０ａ５をさらに備え、前記登頂証明情報生成手段１０ａ３は、前記高度検出手段１０ａ５が検出した高度が識別できるように前記登頂証明情報を生成することを特徴とする。
【００１１】
上記請求項２に記載した本発明の登頂証明装置によれば、位置情報取込手段１０ａ１が取り込んだ位置情報と山情報記憶手段１０ｄが記憶している山情報とに基づいて登山者が今回登った高度が高度検出手段１０ａ５によって検出されると、この高度が識別可能な登頂証明情報が登頂証明情報生成手段１０ａ３によって生成される。よって、位置情報端末装置２０から取り込んだ位置情報が高度に関する情報を備えなくても、山情報に基づいて位置情報が示す位置における高度の識別することを可能し、その検出した高度が識別できるように登頂証明情報を生成していることから、登頂証明情報を参照することで、登山者の登頂した正確な高度を認識することができる。従って、登頂証明情報によって登山者が登頂した高度を把握することができるため、より一層正確な登山実績に基づいた安全な登山計画の立案に貢献することができる。
【００１２】
上記課題を解決するためになされた請求項３記載の発明は、図１〜３何れかの基本構成図に示すように、請求項２に記載の登頂証明装置において、前記高度検出手段１０ａ５が検出した高度に基づいて前記登山者が過去に登った積算高度を算出する積算高度算出手段１０ａ６をさらに備え、前記登頂証明情報生成手段１０ａ３は、前記積算高度算出手段１０ａ６が算出した積算高度に基づいて前記登山者の登山実績が識別できるように前記登頂証明情報を生成することを特徴とする。
【００１３】
上記請求項３に記載した本発明の登頂証明装置によれば、高度検出手段１０ａ５によって高度が検出されると、この高度に基づいて登山者が過去に登った積算高度が積算高度算出手段１０ａ６によって算出される。そして、その積算高度に基づいて登山者の登山実績が識別できるように登頂証明情報が登頂証明情報生成手段１０ａ３によって生成される。よって、登山者が過去に登った積算高度が識別できるように登頂証明情報を生成していることから、登山者の過去の登山実績を登頂証明情報から正確に把握することができる。従って、登頂証明情報を参照することで、登山者の登山実績に適した安全な登山計画の立案に貢献することができる。
【００１４】
上記課題を解決するためになされた請求項４記載の発明は、図１の基本構成図に示すように、請求項１〜３の何れかに記載の登頂証明装置において、前記参照手段１０ａ４は、前記登頂証明情報生成手段１０ａ３が登頂証明情報を生成したことを前記位置情報端末装置２０によって前記登山者に通知させる通知手段１０ａ４１と、前記登頂証明情報の参照を要求する参照要求を前記通知に応じて送信した前記位置情報端末装置２０に対し、当該位置情報端末装置２０を携帯する前記登山者の前記登頂証明情報を送信するために出力する登頂証明情報出力手段１０ａ４２と、を備えることを特徴とする。
【００１５】
上記請求項４に記載した本発明の登頂証明装置によれば、登頂証明情報生成手段１０ａ３によって登頂証明情報が生成されると、通知手段１０ａ４１はその生成を位置情報端末装置２０によって登山者に通知させる。そして、その通知に応じて参照要求を送信した位置情報端末装置２０に対し、当該位置情報端末装置２０を携帯する登山者の登頂証明情報を送信するために、登頂証明情報が登頂証明情報出力手段１０ａ４２によって例えば通信装置等に出力される。よって、生成した登頂証明情報を登山者に参照させるために、その生成を登山者に通知し、この通知に応じて位置情報端末装置２０から参照要求を受けると、その位置情報端末装置２０に登頂証明情報を送信することから、登山者は通知により登頂証明情報が生成されたことを認識することができ、その登頂証明情報の内容を確認することができる。従って、位置情報端末装置２０に登頂証明情報の生成を通知することで、登山者の操作ミスによって登頂証明情報が作成されない等の問題を防止することができる。
【００１６】
上記課題を解決するためになされた請求項５記載の発明は、図２の基本構成図に示すように、請求項１〜３の何れかに記載の登頂証明装置において、前記参照手段１０ａ４は、前記登頂証明情報の参照を要求する参照要求を前記登山者から受けると、該参照要求にて指定された送信先に前記登頂証明情報生成手段１０ａ３が生成した登頂証明情報を送信するために出力する登頂証明情報出力手段１０ａ４２を備えることを特徴とする。
【００１７】
上記請求項５に記載した本発明の登頂証明装置によれば、登山者の位置情報端末装置２０、登山者が所有するパーソナル・コンピュータ等から参照要求を受けると、この参照要求にて指定された送信先に、登頂証明情報生成手段１０ａ３が生成した登頂証明情報を送信するために、当該登頂証明情報が登頂証明情報出力手段１０ａ４２によって例えば通信装置等に出力される。よって、生成した登頂証明情報を登山者に参照させるために、参照要求にて指定された送信先に登頂証明情報を送信することから、登山者はその登頂証明情報を記憶しておくことで、必要なときに登頂証明情報を参照することができる。従って、参照要求にて指示された送信先に登頂証明情報を送信することで、登山者は参照したいときに登頂証明情報を参照することができるため、過去の登山管理を登頂証明情報に基づいて行うことが可能となり、登山の楽しみの追求に貢献することができる。
【００１８】
上記課題を解決するためになされた請求項６記載の発明は、図３の基本構成図に示すように、請求項１〜３の何れかに記載の登頂証明装置において、前記参照手段１０ａ４は、前記登頂証明情報生成手段１０ａ３が生成した登頂証明情報を、前記取り込んだ位置情報を送信した前記位置情報端末装置２０に送信するために出力する登頂証明情報出力手段１０ａ４２を備えることを特徴とする。
【００１９】
上記請求項６に記載した本発明の登頂証明装置によれば、登頂証明情報生成手段１０ａ３によって登頂証明情報が生成されると、位置情報取込手段１０ａ１によって取り込まれた位置情報を送信した位置情報端末装置２０に送信するために、当該登頂証明情報が登頂証明情報出力手段１０ａ４２によって例えば通信装置等に出力される。よって、位置情報端末装置２０からの位置情報の取り込みに応じて、生成した登頂証明情報を登山者に参照させるために、その位置情報端末装置２０に送信することから、登山者は生成された登頂証明情報を速やかに位置情報端末装置２０にて参照することができる。従って、位置情報端末装置２０に生成した登頂証明情報を直ちに送信することで、登山者は山頂にて登頂証明情報を参照することができるため、登山者の操作ミスによって登頂証明情報が作成されない等の問題を防止することができ、登山の楽しみの追求に貢献することができる。
【００２０】
上記課題を解決するため本発明によりなされた請求項７記載の位置情報端末装置は、図１〜３何れかの基本構成図に示すように、位置情報検出手段２５が検出した装置本体の現在位置を示す位置情報を送信手段２１によって所望の送信先に送信する位置情報端末装置２０において、前記位置情報検出手段２５が検出した位置情報を登山者の登頂を証明する登頂証明情報を生成する登頂証明装置１０に送信するように前記送信手段２１を制御する送信制御手段２２ａと、前記送信手段２１が前記位置情報を送信した前記登頂証明装置１０が生成した前記登頂証明情報を取り込む登頂証明情報取込手段２２ｂと、前記登頂証明情報取込手段２２ｂが取り込んだ登頂証明情報を表示させる制御を行う表示制御手段２２ｃと、を備えることを特徴とする。
【００２１】
上記請求項７に記載した本発明の位置情報端末装置によれば、位置情報検出手段２５によって位置情報が検出されると、この位置情報を送信手段２１が登頂証明装置１０に送信するように送信制御手段２２ａによって制御される。そして、登頂証明装置１０が生成した登頂証明情報が登頂証明情報取込手段２２ｂによって取り込まれ、この登頂証明情報を表示手段等に表示させるように表示制御手段２２ｃによって制御される。よって、検出した位置情報を登頂証明装置１０に送信し、この送信に応じて登頂証明装置１０にて生成された登頂証明情報を取り込み、その登頂証明情報を表示させることから、登山者が登山する際に位置情報端末装置２０を携帯することで、登山者は第三者が証明する登頂証明情報を容易に参照することができる。従って、登頂証明情報を参照することで、登山者の登山実績を容易に把握することができるため、登山実績に基づいた安全な登山計画の立案に貢献することが可能となり、無理な登山を防止することができるため、遭難事故の防止に貢献することができる。
【００２２】
上記課題を解決するためになされた請求項８記載の発明は、図１又は２の基本構成図に示すように、請求項７に記載の位置情報端末装置において、前記登頂証明装置１０が生成した前記登頂証明情報の参照を要求する参照要求を生成する参照要求生成手段２２ｄをさらに備え、前記送信制御手段２２ａは、前記参照要求生成手段２２ｄが生成した参照要求を前記登頂証明装置１０に送信するように前記制御を行うことを特徴とする。
【００２３】
上記請求項８に記載した本発明の位置情報端末装置によれば、参照要求生成手段２２ｄによって参照要求が生成されると、この参照要求を送信手段２１が登頂証明装置１０に送信するように送信制御手段２２ａによって制御される。そして、参照要求を受けて登頂証明装置１０が生成した登頂証明情報は登頂証明情報取込手段２２ｂによって取り込まれ、この登頂証明情報を表示手段等に表示させるように表示制御手段２２ｃによって制御される。よって、登山者の所定操作、登頂証明装置１０からの通知等に応じて参照要求を生成すると、この参照要求を登頂証明装置１０に送信し、この参照要求に応じて登頂証明装置１０が生成した登頂証明情報を取り込んで表示することから、登山者が参照したいときに登頂証明情報を表示させることができる。従って、位置情報端末装置２０の操作の利便を図ることで、登頂証明情報を参照するために登山者が位置情報携帯端末装置２０を携帯するようになるため、位置情報携帯端末装置２０の普及にも貢献することができる。
【００２４】
上記課題を解決するため本発明によりなされた請求項９記載の登頂証明システムは、図１の基本構成図に示すように、請求項４に記載の登頂証明装置１０と、請求項８に記載の位置情報端末装置２０と、を備え、前記位置情報端末装置２０を携帯した登山者の登頂を証明する登頂証明システムであって、前記位置情報端末装置２０の参照要求生成手段２２ｄは、前記登頂証明装置１０の前記通知手段１０ａ４１による通知に応じて前記参照要求を生成し、前記登頂証明装置１０の登頂証明情報出力手段１０ａ４２は、前記位置情報端末装置２０の送信手段２１が送信した参照要求を受けて前記出力を行い、前記位置情報端末装置２０の登頂証明情報取込手段２２ｂは、前記登頂証明装置１０の前記登頂証明情報出力手段１０ａ４２が出力した登頂証明情報を取り込むことを特徴とする。
【００２５】
上記請求項９に記載した本発明の登頂証明システムによれば、登頂証明装置１０の登頂証明情報生成手段１０ａ３によって登頂証明情報が生成されると、通知手段１０ａ４１はその生成を位置情報端末装置２０によって登山者に通知させる。そして、通知された位置情報端末装置２０の参照要求生成手段によって生成された参照要求は、送信手段２１によって登頂証明装置１０に送信される。そして、登頂証明装置１０にて生成された登頂証明情報が登頂証明情報出力手段１０ａ４２によって出力されると、この登頂証明情報は登頂証明情報取込手段２２ｂによって位置情報端末装置２０に取り込まれ、位置情報端末装置２０にて登頂証明情報が表示される。よって、登頂証明装置１０にて生成した登頂証明情報を登山者に参照させるために、その生成を位置情報端末装置２０にて登山者に通知し、この通知に応じて位置情報端末装置２０から参照要求を受けた登頂通報装置１０が登頂証明情報を送信し、その情報を取り込んだ位置情報端末装置２０が表示することから、登山者は通知により登頂証明情報が生成されたことを認識することができ、その登頂証明情報の内容を確認することができる。従って、登山者は山に登る際に位置情報端末装置２０を携帯することで、登頂した山の登頂証明情報が生成され、この登頂証明情報を登山者の登山実績の把握に利用することができることから、正確な登山実績に基づいた安全な登山計画の立案に貢献することができるため、遭難事故の防止に貢献することができる。
【００２６】
上記課題を解決するため本発明によりなされた請求項１０記載の登頂証明システムは、図２の基本構成図に示すように、請求項５に記載の登頂証明装置１０と、請求項８に記載の位置情報端末装置２０と、を備え、前記位置情報端末装置２０を携帯した登山者の登頂を証明する登頂証明システムであって、前記登頂証明装置１０の登頂証明情報出力手段１０ａ４２は、前記位置情報端末装置２０の送信手段２１が送信した参照要求を受けて前記出力を行い、前記位置情報端末装置２０の登頂証明情報取込手段２２ｂは、前記登頂証明装置１０の前記登頂証明情報出力手段１０ａ４２が出力した登頂証明情報を取り込むことを特徴とする。
【００２７】
上記請求項１０に記載した本発明の登頂証明システムによれば、位置情報端末装置２０の送信手段２１によって送信された参照要求を登頂証明装置１０が受けると、登頂証明情報出力手段１０ａ４２によって登頂証明情報が登頂証明情報出力手段１０ａ４２によって出力されることで送信され、この登頂証明情報は登頂証明情報取込手段２２ｂによって位置情報端末装置２０に取り込まれ、位置情報端末装置２０にて登頂証明情報が表示される。よって、登山者が生成された登頂証明情報を参照するために、位置情報端末装置２０から登頂証明装置１０に参照要求を送信させることで、登頂証明装置１０が生成した登頂証明情報が位置情報端末装置２０に表示されることから、登山者は必要なときに登頂証明情報を参照することで、登山者の登山実績を証明することができる。従って、登山者は参照したいときに登頂証明情報の参照が可能なことから、登山計画を立案する際に参照することで、正確な登山実績に基づいた安全な登山計画の立案することができるため、遭難事故の防止に貢献することができる。
【００２８】
上記課題を解決するため本発明によりなされた請求項１１記載の登頂証明システムは、図３の基本構成図に示すように、請求項６に記載の登頂証明装置１０と、請求項７に記載の位置情報端末装置２０と、を備え、前記位置情報端末装置２０を携帯した登山者の登頂を証明する登頂証明システムであって、前記位置情報端末装置２０の登頂証明情報取込手段２２ｂは、前記登頂証明装置１０の前記登頂証明情報出力手段１０ａ４２が出力した登頂証明情報を取り込むことを特徴とする。
【００２９】
上記請求項１１に記載した本発明の登頂証明システムによれば、登頂証明装置１０の登頂証明情報生成手段１０ａ３によって生成された登頂証明情報が登頂証明情報出力手段１０ａ４２によって出力されると、登頂証明情報取込手段２２ｂによって位置情報端末装置２０に取り込まれ、位置情報端末装置２０にて登頂証明情報が表示される。よって、位置情報端末装置２０で検出された位置情報に基づいて登頂証明装置１０が生成した登頂証明情報は、位置情報端末装置２０に送信されて表示されることから、登山者が登山する際に位置情報端末装置２０を携帯することで、登山者は第三者が証明する登頂証明情報を容易に参照することができる。従って、登頂証明情報を参照することで、登山者の登山実績を容易に把握することができるため、登山実績に基づいた安全な登山計画の立案に貢献することが可能となり、無理な登山を防止することができるため、遭難事故の防止に貢献することができる。
【００３０】
【発明の実施の形態】
以下、本発明に係る登頂証明装置、位置情報携帯端末装置を有する登頂証明システムの一実施の形態を、図４〜図１２の図面を参照して説明する。なお、本実施の形態では、株式会社ＮＴＴドコモのｉモードサービスを利用して実現する場合について説明する。
【００３１】
ここで、図４は本発明に係る登頂証明システムのシステム構成の一例を示す図であり、図５は図４の登頂証明装置の概略構成を示す図であり、図６は図５の登頂証明装置のファイル構成の一例を示す図であり、図７は登頂証明情報の表示の一例を示す図であり、図８は図４の位置情報端末装置の概略構成の一例を示す図であり、図９は登頂証明装置のＣＰＵと位置情報端末装置の制御部が行う本発明に係る処理概要の一例を示すフローチャートであり、図１０は登頂証明システムにおける第１のデータフローの一例を示す図であり、図１１は登頂証明システムにおける第２のデータフローの一例を示す図であり、図１２は登頂証明システムにおける第３のデータフローの一例を示す図である。
【００３２】
図４において、本発明の登頂証明システムは、登頂証明サービスを提供するサービス会社等に設けられ、登録された登山者１の登頂を証明する登頂証明装置１０と、登頂証明サービスを利用する登山者１が携帯し、現在位置の検出が可能な携帯電話機、ＰＤＡ（Ｐｅｒｓｏｎａｌ  Ｄｉｇｉｔａｌ  Ａｓｓｉｓｔａｎｔｓ）等の位置情報端末装置２０と、を備える。そして、登頂証明装置１０と位置情報端末装置２０とは、インターネット２、ｉモードサーバ３、パケット通信網４を介したデータの送受信が可能となっている。
【００３３】
次に、本発明に係る登頂証明装置１０の構成の一例を説明する。
図５に示す登頂証明装置１０は、周知であるパーソナル・コンピュータを用いており、予め定めたプログラムに従って装置全体の動作の制御などを行う中央演算処理装置（ＣＰＵ）１０ａを有している。このＣＰＵ１０ａには、バスＢを介してＣＰＵ１０ａのためのプログラム等を格納した読み出し専用のメモリであるＲＯＭ１０ｂ、ＣＰＵ１０ａの処理作業に必要な各種データを格納する作業エリア等を有する読み出し書き込み自在のメモリであるＲＡＭ１０ｃが接続されている。
【００３４】
ＣＰＵ１０ａにはさらに、記憶装置１０ｄがバスＢを介して接続されており、この記憶装置１０ｄにはハードディスク装置などを用いている。記憶装置１０ｄは、コンピュータを後述する登頂証明装置として機能させるためのプログラムファイルや各種データベースなどを記憶している。
【００３５】
ＣＰＵ１０ａにはさらに、入力装置インタフェース（Ｉ／Ｆ）１０ｅ、表示装置インタフェース（Ｉ／Ｆ）１０ｆ、通信装置インタフェース（Ｉ／Ｆ）１０ｇがバスＢを介して接続されている。入力装置Ｉ／Ｆ１０ｅに、キーボードやマウスを有して構成する入力装置１１が接続されると、入力装置１１から入力された各種入力データは、バスＢに供給されてＣＰＵ１０ａに入力される。
【００３６】
表示装置Ｉ／Ｆ１０ｆには、ＣＲＴや液晶ディスプレイなどを用いて構成される表示装置１２が接続されている。そして、この表示装置Ｉ／Ｆ１０ｆは、表示装置１２の表示内容をＣＰＵ１０ａからの指示に基づいて制御するものである。
【００３７】
通信装置Ｉ／Ｆ１０ｇには、通信装置１３が接続されており、この通信装置１３としては携帯電話用モデム、ＬＡＮカード等の通信機器を用いている。そして、通信装置１３は、インターネット２等を介して、携帯電話機２０、盗難防止装置５０等から受信したデータをＣＰＵ１０ａに出力すると共に、ＣＰＵ１０ａから入力された情報を指示された送信先に送信する。
【００３８】
次に、登頂証明装置１０の記憶装置１０ｄに記憶している本発明に係る情報について説明する。
図６に示すように、上述した記憶装置１０ｄは、登頂証明プログラムファイルＦ、会員情報データベースＤＢ１、山情報データベースＤＢ２、登頂証明情報データベースＤＢ３等を記憶している。
【００３９】
登頂証明プログラムファイルＦに格納している登頂証明プログラムは、現在位置を示す位置情報を検出して送信する位置情報端末装置２０を登録された登山者１が携帯し、当該位置情報端末装置２０が送信した前記位置情報に基づいて前記登山者１の登頂を証明する手段としてコンピュータを機能させるための登頂証明プログラムであって、前記位置情報端末装置２０が送信した前記位置情報を、当該位置情報端末装置２０を携帯する前記登山者の現在位置を示す前記位置情報として取り込む位置情報取込手段、前記位置情報取込手段が取り込んだ位置情報と前記位置情報の示す位置が山頂であるか否かを判定することが可能な山情報とを比較し、該比較結果に基づいて前記登山者が登頂しているか否かを判定する判定手段、前記判定手段の登頂しているとの判定に応じて、前記登頂を証明する登頂証明情報を生成する登頂証明情報生成手段、前記登頂証明情報生成手段が生成した登頂証明情報を前記登山者に参照させる参照手段、等としてコンピュータを機能させるための登頂証明プログラムである。
【００４０】
会員情報データベースＤＢ１は、登頂証明サービスを利用する登山者１を識別することが可能な会員情報を、会員登録にされた登山者１毎に対応させて格納している。この会員情報は、登山者１を識別する識別番号と、登山者１が所有する位置情報端末装置２０の電話番号、メールアドレス等の連絡先と、登山者１に対応する登頂証明情報の格納場所と、登山者１が登った積算高度と、この積算高度に対応する登山者等級と、を有して構成している。
【００４１】
本実施の形態では、２５００ｍを浅間山級、３７００ｍを富士山級、８０００ｍをエベレスト級というように定義した等級テーブルを前記登頂証明プログラムが有しており、登山者１の積算高度に対応する等級を登山者等級として設定するようにしている。このように登山者等級を設定することで、登山者１の登山実績、実力を評価することができる。
【００４２】
山情報データベースＤＢ２は、緯度、経度等を有する位置情報が示す位置が山頂であるか否かを判定することが可能な山情報を、富士山、浅間山等の山毎に対応させて格納している。この山情報は、山の名称を示す山名称データと、その山に対応する緯度、経度等の位置データと、この位置データが山頂であるか否かを示す山頂フラグと、位置情報に対応する高度を示す高度データと、を有して構成している。
【００４３】
このように山情報を構成することで、本実施の形態では、位置情報端末装置２０から取り込んだ位置情報が示す位置に基づいて、その位置から山の名称を特定し、そこが山頂であるか否かを判定することができると共に、その高度の検出が可能な構成となっている。
【００４４】
なお、山情報については、上述した構成に限定するものではなく、全ての山の頂上と見なす緯度、経度等の位置データと、この位置データに対応する山名称データと、を有して構成するなど、システムの仕様等に応じて種々異なる構成とすることができる。
【００４５】
登頂証明情報データベースＤＢ３は、登山者１の登頂を証明する登頂証明情報を格納しており、各登頂証明情報は会員情報データベースＤＢ１の会員情報に関連付けられている。この登頂証明情報は、登山者１の名称、登頂した日時、登頂を証明した位置、登頂した山の名称、登頂した高度、登山者１の登山者等級などを有して構成している。
【００４６】
本実施の形態では、図７に示すような登頂証明書として登頂証明情報を表示、印刷させるために、登頂証明情報を画像情報として記憶することで、登山者１が位置情報端末装置２０、パーソナル・コンピュータ等で容易に表示させたり、プリンタで印刷したりすることを可能としている。なお、登頂証明情報は、上述した構成に限定するものではなく、文字、記号コードにより構成するなど種々異なる実施の形態としても差し支えない。
【００４７】
また、登頂証明情報を登山者１にダウンロードさせることで、登山者１はその情報を登山履歴等の利用、管理のために用いることができる。さらに、登頂過程で位置情報端末装置２０から取り込んだ位置情報を登頂経路として登頂証明情報に付加することで、登山者１はその登頂経路を次回の登山計画や、他の登山者１へのアドバイス等に利用することができる。
【００４８】
登頂証明情報の出力例としては、図７に示すように、登山者１の名称を示す”●●●様”、登頂日時を示す”２００３年１月５日  １１時２５分３０秒”、登頂した山の名称とその高度を示す”▲山の登頂（高度２５００ｍ）に成功しました！”、登山者１の登山者等級を示す”現在  あなたは浅間山級です。”等を有する登頂証明書が表示、印刷される。
【００４９】
以上説明したように、本実施の形態では、山情報を格納している山情報データベースＤＢ２を記憶装置１０ｄに記憶していることから、記憶装置１０ｄが特許請求の範囲に記載の山情報記憶手段として機能している。
【００５０】
なお、本実施の形態においては、上述した登頂証明プログラムファイルＦ、会員情報データベースＤＢ１、山情報データベースＤＢ２、登頂証明情報データベースＤＢ３等の各種ファイルを、ＣＤ−ＲＯＭ等のコンピュータが読み込むことができる記憶媒体から、記憶装置１０ｄにインストールしている。しかしながら、本発明はこれに限定するものではなく、ファイルのインストールについては、インターネットを介してダウンロードするなど種々異なる実施の形態とすることもできる。
【００５１】
次に、本発明に係る位置情報端末装置２０は、図８に示すように、無線信号を受信するアンテナ２１ａと、アンテナ２１ａを介して受信した無線信号の復調その他必要な処理を行い、パケット通信網３を介した通信を可能とする無線部２１と、復調された無線信号を受信する制御等の携帯電話機２０の動作を制御し、制御用ＬＳＩ、ＣＰＵ等が用いられる制御部２２と、各種アプリケーションプログラム（以下、アプリケーションともいう）、受信した電子メール等を記憶する記憶部２３と、受信した無線信号が音声信号である場合に無線信号を音声信号に変換するとともに、制御部２２が出力した音声情報を音声信号に変換して装置外部に出力する音声出力部２４と、ＧＰＳ（ｇｌｏｂａｌ  ｐｏｓｉｔｉｏｎｉｎｇ  ｓｙｓｔｅｍ＝全地球側位システム）を構成する複数の人工衛星６０（図４参照）が発射する電波を受信するＧＰＳ受信部２５と、電子メールの内容その他のデータを表示する表示部２７と、使用者が本携帯電話機２０に種々のデータを入力する操作部２８と、を有する。
【００５２】
登山者１の所定の操作に応じて制御部２２は、ＧＰＳアンテナ（図示せず）にて受信した電波に基づいて検出した、現在の位置を示す位置情報（緯度、経度等）をＧＰＳ受信部（位置情報検出手段）２５から取り込み、この位置情報を無線部２１に出力することで、無線部２１は位置情報をパケット通信網４を介して登頂証明装置１０に送信する。また、無線部２１にて登頂証明装置１０から受信された登頂証明情報、電子メール等の各種情報は、制御部２２に出力され、それらの情報は記憶部２３に記憶される。
【００５３】
記憶部２３には、ＧＰＳ受信部（位置情報検出手段）２５が検出した装置本体の現在位置を示す位置情報を無線部（送信手段）によって所望の送信先に送信する位置情報端末装置２０を、前記ＣＰＳ受信部（位置情報検出手段）２５が検出した位置情報を登山者１の登頂を証明する登頂証明情報を生成する登頂証明装置１０に送信するように前記無線部（送信手段）２１を制御する送信制御手段、前記送信手段が前記位置情報を送信した前記登頂証明装置１０が生成した前記登頂証明情報を取り込む登頂証明情報取込手段、前記登頂証明情報取込手段が取り込んだ登頂証明情報を表示部（表示手段）２７等に表示させる制御を行う表示制御手段、等として機能させる各種プログラムを記憶している。
【００５４】
また、上述したＧＰＳ受信部２５における位置検出メカニズムは、当業者には公知である通常のＧＰＳによるが、少なくとも３つの人工衛星６０からＧＰＳ受信部２１まで電波が到達するのに要する時間を計測することによって、ＧＰＳ受信部２１の正確な位置が算出される。さらに、４つ以上の人工衛星６０を利用すると、３次元的な位置も特定することが可能であり、ＧＰＳ受信部２５によってその位置における高度を検出するようにしても差し支えない。
【００５５】
次に、本発明の登頂証明システムにおいて、登頂証明装置１０のＣＰＵ１１ａ及び位置情報端末装置２０の制御部２２がそれぞれ行う処理概要の一例を、図９のフローチャートを参照して説明する。
【００５６】
図９において、位置情報端末装置２０が起動され、操作部２８にて登山者１が所定の操作を行ったか否かを判定することで、位置検出要求を受けたか否かが判定される（Ｓ１１０）。位置検出要求を受けていないと判定された場合は（Ｓ１１０でＮＯ）、この判定処理を繰り返すことで、位置検出要求の入力を待つ。
【００５７】
一方、位置検出要求を受けたと判定された場合は（Ｓ１１０でＹＥＳ）、ＧＰＳ受信部２５で検出された位置情報が取り込まれ（Ｓ１１１）、送信先を登頂証明装置１０として位置情報の送信が無線部２１に指示されることで（Ｓ１１２：送信制御手段）、無線部２１は位置情報を登頂証明装置１０に対して送信する。
【００５８】
登頂証明装置１０において、通信装置１３にて位置情報が受信されると、その位置情報に対応する会員情報が会員情報データベースＤＢ１から抽出され、この会員情報と関連付けられて位置情報がＲＡＭ１０ｃに取り込まれる（Ｓ２１０：位置情報取込手段）。
【００５９】
そして、取り込んだ位置情報が示す位置に対応する山情報データベースＤＢ２の山情報が検索され、その検索結果である山情報の有無に基づいて、受信した位置情報に対応する山情報が存在するか否かが判定される（Ｓ２１１）。山情報が存在しないと判定された場合は（Ｓ２１１でＮＯ）、その位置が山ではないことを通知する異常通知情報が生成され、取り込んだ位置情報を送信した位置情報端末装置２０を送信先として異常通知情報の送信が通信装置Ｉ／Ｆ１０ｇに出力されることで、異常通知情報は位置情報端末装置２０に送信される（Ｓ２１２）。
【００６０】
位置情報端末装置２０において、異常通知情報が受信されると（Ｓ１２０）、その異常通知情報が表示部２７に出力されることで、表示部２７に異常通知情報が表示される（Ｓ１２１）。なお、異常通知情報を音声にて通知するようにしても差し支えない。
【００６１】
登頂証明装置１０において、受信した位置情報に対応する山情報が存在すると判定された場合は（Ｓ２１１でＹＥＳ）、その位置情報が示す位置に対応する山情報の山頂フラグに基づいて、山頂であるか否かが判定される（Ｓ２１３：判定手段）。山頂ではない、つまり、登山者１は登頂していないと判定された場合は（Ｓ２１３でＮＯ）、受信した位置情報を今回登山の通過位置として登山者１に関連付けられて時系列的にＲＡＭ１０ｃ等に記憶される（Ｓ２１４）。
【００６２】
一方、山頂である、つまり、登山者１は登頂していると判定された場合は（Ｓ２１３でＹＥＳ）、受信した位置情報に対応する会員情報が会員情報データベースＤＢ１から抽出され（Ｓ２１５）、位置情報が示す位置に対応する山情報の高度データに基づいて高度が検出され（Ｓ２１６：高度検出手段）、この高度が抽出した会員情報の積算高度に加算されて新たな積算高度が算出されるとともに、この積算高度に対応する登山者等級が前記等級テーブルに基づいて選択される（Ｓ２１７：積算高度算出手段）。
【００６３】
会員情報、位置情報、高度、登山者等級に基づいて上述した登頂証明情報が生成され（Ｓ２１８：登頂証明情報生成手段）、この登頂証明情報は登頂証明情報データベースＤＢ３に追加して記憶され（Ｓ２１９）、その格納場所が抽出した会員情報に追加され、この会員情報によって会員情報データベースＤＢ１が更新される。なお、登頂証明情報に通過位置を表示する場合は、通過位置として記憶している位置情報を登頂証明情報に盛り込んで生成するようにしても良い。
【００６４】
そして、登頂証明情報を生成したことを登山者１に通知するとともに、登頂証明情報の格納場所（ＵＲＬ：ｕｎｉｆｏｒｍ  ｒｅｓｏｕｒｃｅ  ｌｏｃａｔｏｒ等）を示す通報情報が会員情報に基づいて生成され、送信先を会員情報の連絡先である位置情報端末装置２０として通知情報の送信が通信装置Ｉ／Ｆ１０ｇに出力されることで、通知情報は位置情報端末装置２０に送信される（Ｓ２２０）。
【００６５】
位置情報端末装置２０において、通知情報が受信されると（Ｓ１３０）、この通知情報が表示部２７に出力されることで、表示部２７に通知情報が表示される（Ｓ１３１）。なお、通知情報を音声にて通知するようにしても差し支えない。
【００６６】
そして、登山者１による操作部２８の所定の操作に応じて、通知情報が有する格納場所に基づいて登頂証明情報の参照を要求する参照要求が生成され（Ｓ１３２）、送信先を登頂証明装置１０として参照要求の送信が無線部２１に出力されることで（Ｓ１３３：送信制御手段）、無線部２１は参照要求を登頂証明装置１０に対して送信する。なお、本実施の形態では、参照要求の生成のタイミングについては、通知情報の受信に応じて生成するなど種々異なる実施の形態とすることができる。
【００６７】
登頂証明装置１０において、通信装置１３にて受信された参照要求がＲＡＭ１０ｃに取り込まれると（Ｓ２３０）、この参照要求の格納場所に対応する登頂証明情報が登頂証明情報データベースＤＢ３から抽出され（Ｓ２３１）、この登頂証明システムに対応する会員情報の連絡先である位置情報端末装置２０を送信先として登頂証明情報の送信が通信装置Ｉ／Ｆ１０ｇに出力されることで、登頂証明情報は位置情報端末装置２０に送信される（Ｓ２３２：登頂証明情報出力手段）。
【００６８】
位置情報端末装置２０において、登頂証明情報が受信されると（Ｓ１４０）、この登頂証明情報が記憶部２３に取り込まれて記憶され（Ｓ１４１：登頂証明情報取込手段）、この登頂証明情報が表示部２７に出力されることで、例えば、表示部２７に図７に示す登頂証明情報が表示される（Ｓ１４２：表示制御手段）。なお、本実施の形態では、受信した登頂証明情報を記憶部２３に記憶していることから、以降登山者１は見たいときに登頂証明情報を参照することができる。
【００６９】
よって、以上の説明からも明らかなように、登頂証明装置１０のＣＰＵ１１ａが請求項中の位置情報取込手段、判定手段、登頂証明情報生成手段、参照手段である通知手段と登頂証明情報出力手段、高度検出手段、並びに積算高度算出手段として機能している。また、位置情報端末装置２０の制御部２２が請求項中の送信制御手段、登頂証明情報取込手段、表示制御手段、並びに参照要求生成手段として機能している。
【００７０】
次に、上述した登頂証明システムにおける動作（作用）の一例を、図１０の図面を参照して説明する。
【００７１】
位置情報端末装置２０を携帯した登山者１が山の頂上に登った際に、位置情報端末装置２０の操作部２８を操作することで、位置情報端末装置２０が検出した位置情報は登頂証明装置１０に送信される（▲１▼）。そして、この位置情報が登山者１の現在位置を示す位置情報として登頂証明装置１０に取り込まれと、登頂証明装置１０は、位置情報が示す位置に対応する山情報を抽出し、この山情報と位置情報とを比較して山頂であるか否かを判定し、山頂であると判定した場合は、登山者１が山頂に登頂していると見なし、登頂証明情報を生成する。そして、登頂証明情報を生成したこと示す通知情報を位置情報端末装置２０に送信することで、位置情報端末装置２０にて登山者１に通知させる（▲２▼）。
【００７２】
位置情報端末装置２０における通知に応じて、登山者１が所定の操作を操作部２８にて行うと、位置情報端末装置２０は参照要求を生成して登頂証明装置１０に送信する（▲３▼）。そして、登頂証明装置１０は参照要求を受信すると、この参照要求に該当する登頂証明情報を登頂証明情報データベースＤＢ３から抽出し、その登頂証明情報を位置情報端末装置２０に送信する（▲４▼）。そして、位置情報端末層値２０は、その取り込んだ登頂証明情報を表示部２７に表示する。
【００７３】
以上説明したように、登頂証明装置１０にて生成した登頂証明情報を登山者に参照させるために、その生成を位置情報端末装置２０にて登山者１に通知し、この通知に応じて位置情報端末装置２０から参照要求を受けた登頂通報装置１０が登頂証明情報を送信し、その情報を取り込んだ位置情報端末装置２０が表示することから、登山者１は通知により登頂証明情報が生成されたことを認識することができ、その登頂証明情報の内容を確認することができる。
【００７４】
従って、登山者１は山に登る際に位置情報端末装置２０を携帯することで、登頂した山の登頂証明情報が生成され、この登頂証明情報を登山者の登山実績の把握に利用することができることから、正確な登山実績に基づいた安全な登山計画の立案に貢献することができるため、本システムは遭難事故の防止に貢献することができる。また、位置情報端末装置２０に登頂証明情報の生成を通知しているので、登山者の操作ミスによって登頂証明情報が作成されない等の問題を防止することができる。
【００７５】
また、登山者１が過去に登った積算高度が識別できるように登頂証明情報を生成していることから、登山者１の過去の登山実績を登頂証明情報から正確に把握することができる。よって、登頂証明情報を参照することで、登山者１の登山実績に適した安全な登山計画の立案に貢献することができる。
【００７６】
次に、本発明に係る登頂証明システムの第２の実施の形態を、図１１の図面を参照して説明する。なお、システム構成については、上述した構成と同一であるため、説明は省略する。
【００７７】
位置情報端末装置２０を携帯した登山者１が山の頂上に登った際に、位置情報端末装置２０の操作部２８を操作することで、位置情報端末装置２０が検出した位置情報は登頂証明装置１０に送信される（▲１▼）。そして、この位置情報が登山者１の現在位置を示す位置情報として登頂証明装置１０に取り込まれと、登頂証明装置１０は、位置情報が示す位置に対応する山情報を抽出し、この山情報と位置情報とを比較して山頂であるか否かを判定し、山頂であると判定した場合は、登山者１が山頂に登頂していると見なし、登頂証明情報を生成する。
【００７８】
山頂や登山者１の集まりの場等において、登山者１が所定の操作を操作部２８にて行うと、位置情報端末装置２０は参照要求を生成して登頂証明装置１０に送信する（▲３▼）。そして、登頂証明装置１０は参照要求を受信すると、この参照要求に該当する登頂証明情報を登頂証明情報データベースＤＢ３から抽出し、その登頂証明情報を位置情報端末装置２０に送信する（▲４▼）。そして、位置情報端末層値２０は、その取り込んだ登頂証明情報を表示部２７に表示する。
【００７９】
以上説明したように、登頂証明装置１０によって生成された登頂証明情報を参照するために、登山者１が位置情報端末装置２０から登頂証明装置１０に参照要求を送信させることで、登頂証明装置１０が生成した登頂証明情報が位置情報端末装置２０に表示されることから、登山者１は必要なときに登頂証明情報を参照することで、登山者の登山実績を証明することができる。
【００８０】
従って、登山者１は参照したいときに登頂証明情報の参照が可能なことから、登山計画を立案する際に参照することで、正確な登山実績に基づいた安全な登山計画の立案することができるため、本システムは遭難事故の防止に貢献することができる。
【００８１】
また、参照要求にて登頂証明情報の送信先を指定し、登頂証明装置１０はその送信先に登頂証明情報を送信するようにすれば、登山者１は登頂証明情報を所定の記憶場所に記憶しておくことが可能となり、必要なときに登頂証明情報を参照することができる。よって、参照要求にて指示された送信先に登頂証明情報を送信することで、登山者１は参照したいときに登頂証明情報を参照することができるため、過去の登山管理を登頂証明情報に基づいて行うことが可能となり、本システムによって登山の楽しみの追求に貢献することができる。
【００８２】
次に、本発明に係る登頂証明システムの第３の実施の形態を、図１２の図面を参照して説明する。なお、システム構成については、第２の実施の形態と同様に、上述した構成と同一であるため、説明は省略する。
【００８３】
位置情報端末装置２０を携帯した登山者１が山の頂上に登った際に、位置情報端末装置２０の操作部２８を操作することで、位置情報端末装置２０が検出した位置情報は登頂証明装置１０に送信される（▲１▼）。そして、この位置情報が登山者１の現在位置を示す位置情報として登頂証明装置１０に取り込まれと、登頂証明装置１０は、位置情報が示す位置に対応する山情報を抽出し、この山情報と位置情報とを比較して山頂であるか否かを判定し、山頂であると判定した場合は、登山者１が山頂に登頂していると見なし、登頂証明情報を生成し、位置情報を送信した位置情報端末装置２０に登頂証明情報を送信する（▲２▼）。そして、位置情報端末層値２０は、その取り込んだ登頂証明情報を表示部２７に表示する。
【００８４】
以上説明したように、位置情報端末装置２０で検出された位置情報に基づいて登頂証明装置１０が生成した登頂証明情報は、位置情報端末装置２０に送信されて表示されることから、登山者１が登山する際に位置情報端末装置２０を携帯することで、登山者１は第三者が証明する登頂証明情報を容易に参照することができる。
【００８５】
従って、登頂証明情報を参照することで、登山者１の登山実績を容易に把握することができるため、登山実績に基づいた安全な登山計画の立案に貢献することが可能となり、無理な登山を防止することができるため、本システムは遭難事故の防止に貢献することができる。
【００８６】
また、登頂証明装置１０が生成した登頂証明情報を直ちに位置情報端末装置２０に送信することで、登山者１は山頂にて登頂証明情報を参照することができるため、登山者１の操作ミスによって登頂証明情報が作成されない等の問題を防止することができ、登山の楽しみの追求に貢献することができる。
【００８７】
なお、上述した実施の形態では、登頂証明装置１０が生成した登頂証明情報を位置情報端末装置２０や他のパーソナル・コンピュータにて参照させる参照手段の場合について説明したが、本発明はこれに限定するものではなく、登頂証明情報を登頂証明書としてプリンタにて印刷させて参照させる参照手段など種々異なる実施の形態とすることもできる。
【００８８】
また、上述した実施の形態では、登頂証明情報データベースＤＢ３は登頂証明装置１０として機能しているパーソナル・コンピュータの記憶装置１０ｄに記憶する場合について説明したが、登頂証明情報または登頂証明情報データベースＤＢ３を他のパーソナル・コンピュータの記憶装置等に記憶しておき、位置情報端末装置２０がそこの登頂証明情報を参照するようにしても差し支えない。
【００８９】
さらに、上述した山情報データベースＤＢ２は、登山の楽しみの追求に貢献するために、検出した位置に対応する山小屋に関する山小屋情報や、検出した位置付近に分布する草花、鳥、昆虫等に関するエリア情報等を山情報の位置データに関連付けることで、登山者１からの要求に応じてそれらの情報を提供するなどのシステムに本発明を用いることもできる。
【００９０】
例えば、山情報の位置データが示す位置付近に山小屋が存在する場合は、その山小屋を示す山小屋情報を関連付けて記憶しておく。この山小屋情報としては、山小屋の名称、山小屋の住所、山小屋の位置、その場所を示す地図、連絡先、営業時間、宿泊可能人数等の各種データを有する。なお、山小屋が複数存在する場合は、その全てを山情報に関連付けている。また、山小屋情報については、山小屋情報データベースとして記憶装置１０ｄに記憶するような構成としても差し支えない。
【００９１】
そして、動作の一例としては、位置情報端末装置２０の表示部２８に表示された選択画面に基づいて、登山者１から山小屋に関する情報の取得が要求されると、位置情報端末装置２０はＧＰＳ受信部２５から位置情報を取り込み、この位置情報に基づいた山小屋検索要求を登頂証明装置１０に送信する。
【００９２】
一方、登頂証明装置１０は、山小屋検索要求を受信すると、この山小屋検索要求が示す位置情報に基づいて、位置情報が示す位置の付近（例えば、１０ｋｍ以内など）に対応する山小屋情報を検出する。そして、この検索結果を示す検索結果一覧を示す検索結果一覧情報を生成して要求元の位置情報端末装置２０に送信する。そして、位置情報端末装置２０は、受信した検索結果一覧情報を表示部２９に表示させる。そして、登山者１によって検索結果一覧情報中の山小屋が選択されると、その山小屋に対応する山小屋情報の表示を要求する山小屋表示要求を登頂証明装置１０に送信する。
【００９３】
登頂証明装置１０は、山小屋表示要求を受信すると、この要求に対応する山小屋情報が示す位置と先に受信した位置情報が示す位置とに基づいて、取得位置から山小屋への直線距離を算出し、この直線距離を山小屋情報に付加して要求元の位置情報端末装置２０に送信する。すると、位置情報端末装置２０は、受信した山小屋情報を表示部２８に表示させる。よって、登山者１は、その表示に基づいて登山者１が選択した山小屋に関する情報とその山小屋までの距離を確認することができる。
【００９４】
また、上述した本実施の形態では、受信した位置情報を今回登山の通過位置として登山者１に関連付けられて時系列的にＲＡＭ１０ｃ等に記憶していることから（図９のＳ２１４）、登山者１が登頂できずに途中で下山するような場合に、登山者１からの要求に応じて、それらの位置情報を例えば登山情報（山名称、登山した日時、通過位置等）などとして登山者１に対応する会員情報に記憶しておき、その登山情報を登山者１の参照が可能なシステム構成としておくことで、安全な登山計画の立案に貢献することができる。
【００９５】
【発明の効果】
以上説明したように請求項１に記載した本発明の登頂証明装置によれば、登山者が登頂したとき際に携帯している位置情報端末装置から位置情報を取り込み、この位置情報に基づいて登山者が登頂していると判定したときに登頂証明情報を生成し、その登頂証明情報を参照させることから、登山者が登山する際に位置情報端末装置を携帯することで、登山者は第三者が証明する登頂証明情報を容易に参照することができる。従って、登頂証明情報を参照することで、登山者の登山実績を容易に把握することができるため、登山実績に基づいた安全な登山計画の立案に貢献することが可能となり、無理な登山を防止することができるため、遭難事故の防止に貢献することができる。さらに、登頂証明情報を得るために登山する際に位置情報端末装置２０を携帯するようになれば、その位置情報端末装置を遭難した際の救助活動に用いることができる。
【００９６】
請求項２に記載の発明によれば、請求項１に記載の発明の効果に加え、位置情報端末装置から取り込んだ位置情報が高度に関する情報を備えなくても、山情報に基づいて位置情報が示す位置における高度の識別することを可能し、その検出した高度が識別できるように登頂証明情報を生成していることから、登頂証明情報を参照することで、登山者の登頂した正確な高度を認識することができる。従って、登頂証明情報によって登山者が登頂した高度を把握することができるため、より一層正確な登山実績に基づいた安全な登山計画の立案に貢献することができる。
【００９７】
請求項３に記載の発明によれば、請求項２に記載の発明の効果に加え、登山者が過去に登った積算高度が識別できるように登頂証明情報を生成していることから、登山者の過去の登山実績を登頂証明情報から正確に把握することができる。従って、登頂証明情報を参照することで、登山者の登山実績に適した安全な登山計画の立案に貢献することができる。
【００９８】
請求項４に記載の発明によれば、請求項１〜３の何れかに記載の発明の効果に加え、生成した登頂証明情報を登山者に参照させるために、その生成を登山者に通知し、この通知に応じて位置情報端末装置から参照要求を受けると、その位置情報端末装置に登頂証明情報を送信することから、登山者は通知により登頂証明情報が生成されたことを認識することができ、その登頂証明情報の内容を確認することができる。従って、位置情報端末装置に登頂証明情報の生成を通知することで、登山者の操作ミスによって登頂証明情報が作成されない等の問題を防止することができる。
【００９９】
請求項５に記載の発明によれば、請求項１〜３の何れかに記載の発明の効果に加え、生成した登頂証明情報を登山者に参照させるために、参照要求にて指定された送信先に登頂証明情報を送信することから、登山者はその登頂証明情報を記憶しておくことで、必要なときに登頂証明情報を参照することができる。従って、参照要求にて指示された送信先に登頂証明情報を送信することで、登山者は参照したいときに登頂証明情報を参照することができるため、過去の登山管理を登頂証明情報に基づいて行うことが可能となり、登山の楽しみの追求に貢献することができる。
【０１００】
請求項６に記載の発明によれば、請求項１〜３の何れかに記載の発明の効果に加え、位置情報端末装置からの位置情報の取り込みに応じて、生成した位置情報を登山者に参照させるために、その位置情報端末装置に送信することから、登山者は生成された登頂証明情報を速やかに位置情報端末装置にて参照することができる。従って、位置情報端末装置に生成した登頂証明情報を直ちに送信することで、登山者は山頂にて登頂証明情報を参照することができるため、登山者の操作ミスによって登頂証明情報が作成されない等の問題を防止することができ、登山の楽しみの追求に貢献することができる。
【０１０１】
以上説明したように請求項７に記載した本発明の位置情報端末装置によれば、検出した位置情報を登頂証明装置に送信し、この送信に応じて登頂証明装置にて生成された登頂証明情報を取り込み、その登頂証明情報を表示させることから、登山者が登山する際に位置情報端末装置を携帯することで、登山者は第三者が証明する登頂証明情報を容易に参照することができる。従って、登頂証明情報を参照することで、登山者の登山実績を容易に把握することができるため、登山実績に基づいた安全な登山計画の立案に貢献することが可能となり、無理な登山を防止することができるため、遭難事故の防止に貢献することができる。
【０１０２】
請求項８に記載の発明によれば、請求項７に記載の発明の効果に加え、登山者の所定操作、登頂証明装置からの通知等に応じて参照要求を生成すると、この参照要求を登頂証明装置に送信し、この参照要求に応じて登頂証明装置が生成した登頂証明情報を取り込んで表示することから、登山者が参照したいときに登頂証明情報を表示させることができる。従って、位置情報端末装置の操作の利便を図ることで、登頂証明情報を参照するために登山者が位置情報携帯端末装置を携帯するようになるため、位置情報携帯端末装置の普及にも貢献することができる。
【０１０３】
以上説明したように請求項９に記載した本発明の登頂証明システムによれば、登頂証明装置にて生成した登頂証明情報を登山者に参照させるために、その生成を位置情報端末装置にて登山者に通知し、この通知に応じて位置情報端末装置から参照要求を受けた登頂通報装置が登頂証明情報を送信し、その情報を取り込んだ位置情報端末装置が表示することから、登山者は通知により登頂証明情報が生成されたことを認識することができ、その登頂証明情報の内容を確認することができる。従って、登山者は山に登る際に位置情報端末装置を携帯することで、登頂した山の登頂証明情報が生成され、この登頂証明情報を登山者の登山実績の把握に利用することができることから、正確な登山実績に基づいた安全な登山計画の立案に貢献することができるため、遭難事故の防止に貢献することができる。
【０１０４】
以上説明したように請求項１０に記載した本発明の登頂証明システムによれば、登山者が生成された登頂証明情報を参照するために、位置情報端末装置から登頂証明装置に参照要求を送信させることで、登頂証明装置が生成した登頂証明情報が位置情報端末装置に表示されることから、登山者は必要なときに登頂証明情報を参照することで、登山者の登山実績を証明することができる。従って、登山者は参照したいときに登頂証明情報の参照が可能なことから、登山計画を立案する際に参照することで、正確な登山実績に基づいた安全な登山計画の立案することができるため、遭難事故の防止に貢献することができる。
【０１０５】
以上説明したように請求項１１に記載した本発明の登頂証明システムによれば、位置情報端末装置で検出された位置情報に基づいて登頂証明装置が生成した登頂証明情報は、位置情報端末装置に送信されて表示されることから、登山者が登山する際に位置情報端末装置を携帯することで、登山者は第三者が証明する登頂証明情報を容易に参照することができる。従って、登頂証明情報を参照することで、登山者の登山実績を容易に把握することができるため、登山実績に基づいた安全な登山計画の立案に貢献することが可能となり、無理な登山を防止することができるため、遭難事故の防止に貢献することができる。
【図面の簡単な説明】
【図１】本発明の登頂証明システムの第１の基本構成を示す図である。
【図２】本発明の登頂証明システムの第２の基本構成を示す図である。
【図３】本発明の登頂証明システムの第３の基本構成を示す図である。
【図４】本発明に係る登頂証明システムのシステム構成の一例を示す図である。
【図５】図４の登頂証明装置の概略構成を示す図である。
【図６】図５の登頂証明装置のファイル構成の一例を示す図である。
【図７】登頂証明情報の表示の一例を示す図である。
【図８】図４の位置情報端末装置の概略構成の一例を示す図である。
【図９】登頂証明装置のＣＰＵと位置情報端末装置の制御部が行う本発明に係る処理概要の一例を示すフローチャートである。
【図１０】登頂証明システムにおける第１のデータフローの一例を示す図である。
【図１１】登頂証明システムにおける第２のデータフローの一例を示す図である。
【図１２】登頂証明システムにおける第３のデータフローの一例を示す図である。
【符号の説明】
１０          登頂証明装置
１０ａ１      位置情報取込手段（ＣＰＵ）
１０ａ２      判定手段（ＣＰＵ）
１０ａ３      登頂証明情報生成手段（ＣＰＵ）
１０ａ４      参照手段（ＣＰＵ）
１０ａ４１    通知手段（ＣＰＵ）
１０ａ４２    登頂証明情報出力手段（ＣＰＵ）
１０ａ５      高度検出手段（ＣＰＵ）
１０ａ６      積算高度算出手段（ＣＰＵ）
１０ｄ        山情報記憶手段
２０          位置情報端末装置
２１          送信手段（無線部）
２２ａ        送信制御手段（制御部）
２２ｂ        登頂証明情報取込手段（制御部）
２２ｃ        表示制御手段（制御部）
２２ｄ        参照要求生成手段（制御部）
２５          位置情報検出手段（ＧＰＳ受信部）
【図１】
2004265030.tif 000003
【図２】
2004265030.tif 000004
【図３】
2004265030.tif 000005
【図４】
2004265030.tif 000006
【図５】
2004265030.tif 000007
【図６】
2004265030.tif 000008
【図７】
2004265030.tif 000009
【図８】
2004265030.tif 000010
【図９】
2004265030.tif 000011
【図１０】
2004265030.tif 000012
【図１１】
2004265030.tif 000013
【図１２】
2004265030.tif 000014